(57)【要約】      （修正有）【課題】太陽電池セルを破損させることなく太陽電池モジュール上に容易に遮光板を位置決めすることができる小型・軽量な太陽電池モジュール検査用遮光装置を提供する。【解決手段】太陽電池モジュールの劣化診断において、複数の太陽電池モジュール３１を順次遮光する用途に用いられる太陽電池モジュール検査用遮光装置１であって、一端側に連結部を備えた操作棒と、被連結部において連結部に連結された遮光板２０と、を有し、遮光板は、一辺の長さＬ１が、太陽電池モジュールのクラスタ３５の配列方向の幅寸法に略等しい長さであり、他辺の長さＬ２が、遮光板による遮光操作によって、クラスタに設けられたバイパスダイオード３４を含む経路へ発電電流を迂回させることが可能な遮光面積とする長さである矩形形状を有する。【選択図】図８
0003216295.tif 000002
【実用新案登録請求の範囲】
【請求項１】
複数の太陽電池モジュールが直列に接続された太陽電池ストリングに負荷抵抗を接続し、前記負荷抵抗の両端に発生するストリング電圧を電圧計で測定することにより、複数の前記太陽電池モジュールのうちから劣化した太陽電池モジュールを判別する太陽電池モジュールの劣化診断において、複数の前記太陽電池モジュールを順次遮光する用途に用いられる太陽電池モジュール検査用遮光装置であって、
一端側に連結部を備えた操作棒と、
被連結部において前記連結部に連結された遮光板と、を有し、
前記遮光板が、一辺の長さが、前記太陽電池モジュールのクラスタが配列される方向の幅寸法に略等しい長さであり、他辺の長さが、該遮光板による遮光操作によって、前記クラスタに設けられたバイパスダイオードを含む経路へ発電電流を迂回させることが可能な遮光面積とする長さとなる矩形形状であることを特徴とする太陽電池モジュール検査用遮光装置。
【請求項２】
前記被連結部が、前記遮光板から突出する支柱と該支柱の上端に固定された係止板とを備え、
前記連結部が、前記支柱を跨いで前記遮光板と前記係止板との間に差し込まれて該係止板を下方側から支持可能な一対の爪部を有し、
前記支柱の横断面形状が、一辺の長さが一対の前記爪部の間隔よりも短く、対角線の長さが一対の前記爪部の間隔よりも長い正方形である、請求項１に記載の太陽電池モジュール検査用遮光装置。
【考案の詳細な説明】
【技術分野】
【０００１】
本考案は、複数の太陽電池モジュールが直列に接続された太陽電池ストリングに負荷抵抗を接続し、負荷抵抗の両端に発生するストリング電圧を電圧計で測定することにより、複数の太陽電池モジュールのうちから劣化した太陽電池モジュールを判別する太陽電池モジュールの劣化診断において、複数の太陽電池モジュールから選択された１つの太陽電池モジュールを遮光する用途に用いられる太陽電池モジュール検査用遮光装置に関する。
【背景技術】
【０００２】
近年、環境保護の観点からクリーンな自然エネルギーの一つとして太陽光を利用した太陽光発電システムが注目されている。太陽光発電システムは、インバータからなるパワーコンディショナ（電力変換装置：ＰＣＳ）により、複数の太陽電池モジュールを商用電源などの電力系統と連系させた構成を有する。
【０００３】
一般に太陽光発電システムは、複数の太陽電池モジュールが電気的に直列に接続された太陽電池ストリングを一単位として、接続箱内で複数組の太陽電池ストリングが電気的に並列に接続され、これがパワーコンディショナに接続されて電力系統へ発電電力が出力されるよう構成されている。一方、それぞれの太陽電池モジュールは、その内部構成として、複数の太陽電池セル（発電素子）が電気的に直列に接続されたセルストリングとセルストリングを迂回する電流経路上に設けられたバイパスダイオード（ＢＰＤ）とを含んで構成されるクラスタが複数（多くの市販製品では３個）電気的に直列に接続されて構成されている。
【０００４】
この種の太陽光発電システムにおいては、長期使用などにより太陽電池モジュールを構成するセルストリングやバイパスダイオードなどの構成部材が故障または機能劣化すると、太陽電池モジュールの出力電力が低下することになる。そのため、太陽電池モジュールの故障、機能劣化を検出する手段が必要とされている。
【０００５】
太陽電池モジュールの劣化を検出する手段として、例えば特許文献１に、太陽電池モジュールの劣化判別方法が開示されている。この太陽電池モジュール劣化判別方法においては、太陽電池ストリングを構成する複数の太陽電池モジュールを順次遮光し、それぞれの太陽電池モジュールについて非遮光時のストリング電圧と遮光時のストリング電圧との電圧差を算出し、その電圧差と基準値との比較に基づいて、劣化した太陽電池モジュールを判別するようにしている。
【０００６】
また、特許文献２には、特許文献１に開示された太陽電池モジュール劣化判別方法に使用可能な遮光板装置が開示されている。
【０００７】
この種の遮光板装置は、バイパスダイオードのオープン故障（電気的な導通がなくなる故障）を検査する際に必須のものである。太陽電池モジュールにバイパスダイオードのオープン故障があっても、セルストリングに劣化や影、表面汚れが無ければ発電電流はバイパスダイオードを流れないので、正常にセルストリングが発電している場合はバイパスダイオードのオープン故障の有無を発見することは困難である。そこで、遮光板によりクラスタ（セルストリング）の一部を遮光することで、バイパスダイオードがオープン故障しているクラスタのセルストリングに強制的に発電電流を流し、その経路上の遮光部分の太陽電池セルが抵抗体となって発熱に至る現象を、サーモカメラを使って検出することでバイパスダイオードのオープン故障を発見するようにしている。
【先行技術文献】
【特許文献】
【０００８】
【特許文献１】特開２０１５−０８０３９９号公報
【特許文献２】特開２０１７−２２０９８５号公報
【考案の概要】
【考案が解決しようとする課題】
【０００９】
しかし、上記特許文献２に開示された遮光板装置では、操作棒が、「遮光板本体よりも操作棒の長手方向に垂直な方向に突出する車輪」を有して構成されているため、必然的に遮光板の全荷重が車輪の太陽電池モジュール上に配置される狭小領域に加わることになり、その結果、太陽電池セルに高い応力が加えられて太陽電池セルが損傷する虞があるという問題点があった。特に、遮光板本体の剛性を向上させるために、遮光板本体を金属などの重い部材を含む構成とした場合には、太陽電池セルへの応力は一層大きくなる上、操作棒を長くして作業者から比較的遠い位置の太陽電池モジュールを遮光する場合に、その重量のために遮光板本体の位置決めも困難になる。
【００１０】
本考案は、このような課題に鑑みてなされたものであり、その目的は、太陽電池セルを破損させることなく太陽電池モジュール上に容易に遮光板を位置決めすることができる小型・軽量な太陽電池モジュール検査用遮光装置を提供することにある。
【課題を解決するための手段】
【００１１】
本考案の太陽電池モジュール検査用遮光装置は、複数の太陽電池モジュールが直列に接続された太陽電池ストリングに負荷抵抗を接続し、前記負荷抵抗の両端に発生するストリング電圧を電圧計で測定することにより、複数の前記太陽電池モジュールのうちから劣化した太陽電池モジュールを判別する太陽電池モジュールの劣化診断において、複数の前記太陽電池モジュールを順次遮光する用途に用いられる太陽電池モジュール検査用遮光装置であって、一端側に連結部を備えた操作棒と、被連結部において前記連結部に連結された遮光板と、を有し、前記遮光板が、一辺の長さが、前記太陽電池モジュールのクラスタが配列される方向の幅寸法に略等しい長さであり、他辺の長さが、該遮光板による遮光操作によって、前記クラスタに設けられたバイパスダイオードを含む経路へ発電電流を迂回させることが可能な遮光面積とする長さとなる矩形形状であることを特徴とする。
【００１２】
本考案の太陽電池モジュール検査用遮光装置は、上記構成において、前記被連結部が、前記遮光板から突出する支柱と該支柱の上端に固定された係止板とを備え、前記連結部が、前記支柱を跨いで前記遮光板と前記係止板との間に差し込まれて該係止板を下方側から支持可能な一対の爪部を有し、前記支柱の横断面形状が、一辺の長さが一対の前記爪部の間隔よりも短く、対角線の長さが一対の前記爪部の間隔よりも長い正方形であるのが好ましい。
【考案の効果】
【００１３】
本考案によれば、遮光板を、太陽電池モジュールの劣化診断やバイパスダイオードのオープン故障の発見に必要な最小限の面積の矩形形状のものとして、太陽電池モジュール検査用遮光装置を小型・軽量化することができる。
【００１４】
したがって、本考案によれば、太陽電池セルを破損させることなく太陽電池モジュール上に容易に遮光板を位置決めすることができる小型・軽量な太陽電池モジュール検査用遮光装置を提供することができる。
【図面の簡単な説明】
【００１５】
【図１】本考案の一実施の形態である太陽電池モジュール検査用遮光装置を示す平面図である。
【図２】図１に示す太陽電池モジュール検査用遮光装置の側面図である。
【図３】（ａ）は図１に示す連結部の平面図であり、（ｂ）は同側面図である。
【図４】図１に示す遮光板の分解斜視図である。
【図５】図１に示す被連結部の斜視図である。
【図６】太陽光発電システムの構成を示す説明図である。
【図７】図６に示す太陽電池モジュールの詳細を示す説明図である。
【図８】図７に示す太陽電池モジュールの一部を遮光板により遮光した状態を示す説明図である。
【図９】（ａ）はバイパスダイオードがオープン故障している太陽電池モジュールにおける非遮光状態での電流の流れを示す説明図であり、（ｂ）はバイパスダイオードがオープン故障している太陽電池モジュールにおける遮光状態での電流の流れを示す説明図である。
【図１０】クラスタの配列方向が奥行方向となるように配置された太陽電池モジュールの一部を遮光板により遮光した状態を示す説明図である。
【考案を実施するための形態】
【００１６】
以下、図面を参照して本考案をより具体的に例示説明する。
【００１７】
図１、図２に示す本考案の一実施の形態である太陽電池モジュール検査用遮光装置１（以下、「遮光装置１」という。）は、複数の太陽電池モジュールが直列に接続された太陽電池ストリングに負荷抵抗を接続し、負荷抵抗の両端に発生するストリング電圧を電圧計で測定することにより、複数の太陽電池モジュールのうちから劣化した太陽電池モジュールを判別する太陽電池モジュールの劣化診断において、複数の太陽電池モジュールを順次遮光する用途に用いられるものである。複数の太陽電池モジュールを遮光装置１により順次遮光しながら太陽電池モジュールの劣化診断を行うことで、劣化した太陽電池モジュールを判別することができるとともに、太陽電池モジュールの各クラスタに設けられたバイパスダイオードのオープン故障を検出することができる。
【００１８】
この遮光装置１は、操作棒１０と、操作棒１０の先端に連結された遮光板２０とを有している。
【００１９】
操作棒１０は、太陽電池モジュールの劣化診断の対象となる太陽電池ストリングを構成するそれぞれの太陽電池モジュール上の所定位置に遮光板２０を設置することが可能な程度の長さを有する棒材であり、作業者は操作棒１０を把持して遮光板２０を太陽電池モジュールに設置する操作や遮光板２０を他の太陽電池モジュールに移動させる操作を行うことができる。
【００２０】
本実施の形態においては、操作棒１０は、鋼材や合成樹脂材料等により断面円形で真っ直ぐに延びる中空の棒状に形成された内側棒材１０ａの外側に、鋼材や合成樹脂材料等により内側棒材１０ａよりも大径の断面円形で真っ直ぐに延びる中空の棒状に形成された外側棒材１０ｂを伸縮自在に組み合わせた長さ調整可能な構成とされている。図示する場合では、操作棒１０は最大５ｍまで長さを長くすることができる。外側棒材１０ｂの先端にはねじ込み式の固定部材１０ｃが設けられ、この固定部材１０ｃにより内側棒材１０ａを外側棒材１０ｂに固定して操作棒１０の長さを保持することができる。
【００２１】
なお、操作棒１０は、長さ調整ができない構造のものであってもよい。また、操作棒１０は、断面が円形で真っ直ぐに延びる中空の棒状のものに限らず、その断面形状は種々変更可能であり、また、中実の部材で構成されてもよく、さらに途中で曲がった形状であってもよい。
【００２２】
操作棒１０は、その先端側（一端側）に連結部１１を備えている。
【００２３】
図３に示すように、連結部１１は一対の爪部１１ａを有している。それぞれの爪部１１ａは細長い鋼板等の板材により形成されており、その基端側部分において一対の細長い板材１１ｂと一対のＵ字形金具１１ｃとを用いて操作棒１０の先端に固定されている。一対の爪部１１ａは、それぞれ操作棒１０の長手方向に沿って延びるとともに互いに平行に配置されている。また、一対の爪部１１ａの先端は、上方に向けて傾斜するように折り曲げられている。詳細は図示しないが、一対の爪部１１ａの太陽電池モジュールの側に向けられる裏面には、パネル防護用の板状のクッション材が貼り付けられている。
【００２４】
なお、爪部１１ａと板材１１ｂとの固定、及び、板材１１ｂとＵ字形金具１１ｃとの固定には、それぞれボルト１２とナット１３が用いられている。
【００２５】
遮光板２０は、太陽光を透過させない不透明な発泡ポリエチレン製となっており、図１、図４に示すように、横方向の長さＬ１が縦方向の長さＬ２よりも長い横長の矩形形状（略長方形状）に形成されている。遮光板２０は、太陽電池モジュール上に配置されることで、太陽電池モジュールを遮光することができる。なお、太陽電池モジュール３１を遮光板２０により遮光するとは、太陽電池モジュール３１を遮光板２０により覆って当該太陽電池モジュール３１の遮光板２０により覆われた領域に太陽光が当たらないようにすることを意味する。
【００２６】
詳細は図示しないが、遮光板２０の太陽電池モジュールの側に向けられる裏面に、合成ゴム等で形成された滑り止め用のシートを貼り付けるようにしてもよい。この場合、滑り止め用のシートは、遮光板２０の裏面の全体に貼り付けてもよいが、四つ角の部分と横方向中間における縁部分にのみ貼り付けるなど、その貼り付け領域ないし部分は種々変更可能である。
【００２７】
遮光板２０の上面には、遮光板２０を補強するための木製の補強板２１が固定されている。補強板２１は、横方向の長さが遮光板２０と同等であるが縦方向の長さが遮光板２０よりも短い長尺の板状に形成されており、図４に示すように、複数の両面テープ２２を用いて遮光板２０の縦方向の中央位置に固定されている。
【００２８】
平面視で遮光板２０の中心に位置するように、補強板２１の上面には被連結部２３が固定されている。被連結部２３は、遮光板２０から突出する支柱２３ａと、支柱２３ａの上端に固定された係止板２３ｂとを有している。本実施の形態では、支柱２３ａと係止板２３ｂは、それぞれ木製となっている。
【００２９】
図４、図５に示すように、支柱２３ａは、横断面形状が正方形の柱状すなわち縦方向と横方向の両方の辺の長さが共にａで等しい柱状に形成されており、固定金具２４を用いて補強板２１の上面に固定されている。固定金具２４は、フランジ部分２４ａと、フランジ部分２４ａの軸心から突出する木ネジ部２４ｂとを有しており、フランジ部分２４ａが釘（不図示）によって補強板２１に固定され、木ネジ部２４ｂに支柱２３ａがネジ込まれることで、支柱２３ａを補強板２１に固定している。
【００３０】
係止板２３ｂは、縦方向と横方向の両方の辺の長さが共にｂで等しい正方形の板状に形成されており、その中心を支柱２３ａの軸心に一致させて支柱２３ａの上端に釘（不図示）によって固定されている。
【００３１】
なお、係止板２３ｂの遮光板２０の側を向く裏面に、合成ゴム等で形成された滑り止め用のシートを貼り付けるようにしてもよい。
【００３２】
ここで、係止板２３ｂの両辺の長さｂは、支柱２３ａの両片の長さａよりも大きくなっている。また、支柱２３ａの両片の長さａは、図３（ａ）に示す操作棒１０の連結部１１を構成する一対の爪部１１ａの間隔Ａよりも僅かに短く、支柱２３ａの横断面における対角線の長さは、一対の爪部１１ａの間隔Ａよりも長くなっている。さらに、係止板２３ｂの両片の長さｂは、一対の爪部１１ａの間隔Ａよりも長く、一対の爪部１１ａの板材１１ｂから先端の折曲げ部分までの長さＢよりも短くなっている。さらに、補強板２１と係止板２３ｂとの間の上下方向の間隔は、一対の爪部１１ａの厚みよりも広くなっており、連結部１１の一対の爪部１１ａを挿通可能となっている。
【００３３】
このような構成により、図１、図２に示すように、一対の爪部１１ａを、支柱２３ａを跨ぐように遮光板２０と係止板２３ｂとの間に差し込み、一対の爪部１１ａにより係止板２３ｂを下方側から支持することで、遮光板２０の被連結部２３を操作棒１０の先端に設けられた連結部１１に着脱自在に連結させることができる。このとき、支柱２３ａの両片の長さａは一対の爪部１１ａの間隔Ａよりも僅かに短く、また、支柱２３ａの横断面における対角線の長さが一対の爪部１１ａの間隔Ａよりも長くなっているので、遮光板２０は、支柱２３ａを中心として回転することなく、操作棒１０に対して所定の姿勢に保持される。さらに、一対の爪部１１ａの先端に折曲げ部分が設けられているので、それぞれの爪部１１ａが係止板２３ｂに引っ掛かることにより、遮光板２０が操作棒１０の先端から脱落することが防止される。
【００３４】
次に、太陽電池ストリングを構成する複数の太陽電池モジュールのうちから劣化した太陽電池モジュールを判別する太陽電池モジュールの劣化診断における遮光装置１の使用方法について説明する。
【００３５】
図６に示すように、太陽電池モジュールの劣化診断の対象となる太陽電池ストリング３０は、互いに直列に接続される複数の太陽電池モジュール３１を有している。図示する場合では、太陽電池ストリング３０は、横方向に並べて配置された８つの太陽電池モジュール３１を有している。
【００３６】
なお、太陽光発電システム４０は、複数の太陽電池ストリング３０が接続箱４１の内部で電気的に並列に接続され、これらがインバータからなるパワーコンディショナ（電力変換装置：ＰＣＳ）４２に接続されて電力系統へ発電電力が出力されるよう構成されている。図示する場合では、太陽光発電システム４０は、４つの太陽電池ストリング３０が縦方向に複数段に重ねて配置された構成とされている。接続箱４１は、それぞれの太陽電池ストリング３０に対応した４つの断路器４１ａと、それぞれの断路器４１ａに対応した逆流防止用ダイオード４１ｂとを有している。パワーコンディショナ４２は、発電された直流の発電電流を交流に変換して電力系統に出力するとともに、全ての太陽電池ストリング３０の発電電力を最大にするようにＭＰＰＴ（Maximum Power Point Tracking）方式により電圧を制御する。
【００３７】
図７に示すように、太陽電池ストリング３０を構成する太陽電池モジュール３１は、その内部構成として、それぞれ１０個の太陽電池セル（発電素子）３２が５個ずつ２列に並べて配置されるとともに電気的に直列に接続されたセルストリング３３と、セルストリング３３を迂回する電流経路上に設けられたバイパスダイオード（ＢＰＤ）３４と、を含んで構成される３つのクラスタ３５を有し、それぞれのクラスタ３５が互いに電気的に直列に接続された構成となっている。
【００３８】
バイパスダイオード３４は、影や故障等によって、セルストリング３３に不均一に太陽光が照射されるなどして、クラスタ３５内のセルストリング３３の発電量が相対的に低下した部分の両端電圧が同じクラスタ３５内のセルストリング３３の正常に発電している部分によって発生した発電電圧より高くなってバイパスダイオード３４の順方電圧に等しくなったときに作動し、セルストリング３３を迂回するように発電電流をバイパスさせて、セルストリング３３にホットスポットが発生することを回避するためのものである。したがって、正常な太陽電池モジュール３１の全体に均一に太陽光が照射されると、各太陽電池セル３２の発電によって生じる起電力の合計がバイパスダイオード３４の順方向電圧以上となるので、図７中に太線で示すように、発電電流はバイパスダイオード３４を通らずに各セルストリング３３を順に流れる。
【００３９】
詳細は図示しないが、太陽電池モジュールの劣化診断においては、診断対象となる太陽電池ストリング３０に断路器４１ａを介して診断装置が接続される。診断装置は、ある１つの太陽電池モジュール３１の一部を遮光装置１によって遮光し、太陽電池モジュール３１を遮光した遮光時においてセルストリング３３が発生するストリング電圧と、太陽電池モジュール３１を遮光しない非遮光時にセルストリング３３が発生するストリング電圧との電圧差に基づいて、その太陽電池モジュール３１の劣化の有無の診断を行うことができる。例えば遮光時と非遮光時におけるストリング電圧の差が規定の値であれば、診断装置は、太陽電池モジュール３１が正常である（劣化していない）と判断し、遮光時と非遮光時におけるストリング電圧の差が規定の値よりも小さい場合には太陽電池モジュール３１が劣化していると判断する。
【００４０】
この太陽電池モジュールの劣化診断においては、複数の太陽電池モジュール３１を順次遮光する必要があるが、本考案の遮光装置１を用いることで、複数の太陽電池モジュール３１を容易かつ確実に遮光することができる。
【００４１】
すなわち、図８に示すように、正常な太陽電池モジュール３１の一部を遮光板２０によって遮光した状態とすると、遮光板２０で遮光された領域の太陽電池セル３２が抵抗体となり、セルストリング３３ないしクラスタ３５が生じる起電力が低下し、この電圧降下が所定の順方向電圧以下となって、図８中に太線で示すように、他の太陽電池モジュール３１によって発電された発電電流は、各セルストリング３３を流れることなくバイパスダイオード３４を流れることになる。これにより、診断装置を用いた上記診断が可能となる。
【００４２】
また、図９に示すように、あるクラスタ３５のバイパスダイオード３４がオープン故障している場合、太陽電池モジュール３１を遮光しない非遮光状態では、太陽電池モジュール３１のセルストリング３３に劣化がなく、または太陽電池モジュール３１に影がかからす表面汚れもない場合、図９（ａ）中に太線で示すように、発電電流は、バイパスダイオード３４を通らずに各セルストリング３３を順に流れるのでバイパスダイオード３４のオープン故障の有無を発見することはできないが、遮光板２０によって太陽電池モジュール３１の一部を遮光することで、図９（ｂ）中に太線で示すように、バイパスダイオード３４がオープン故障しているクラスタ３５のセルストリング３３に強制的に発電電流を流して、バイパスダイオード３４のオープン故障の有無を診断装置により検出することができる。すなわち、バイパスダイオード３４がオープン故障しているクラスタ３５のセルストリング３３に強制的に発電電流が流されると、その経路上の遮光部分の太陽電池セル３２が抵抗体となって発熱に至り、その発熱の現象を診断装置で検出することで、当該クラスタ３５のバイパスダイオード３４がオープン故障していることを検出することができる。
【００４３】
ここで、図８に示すように、本実施の形態の遮光装置１では、遮光板２０は、その矩形形状の横方向の長さＬ１が、太陽電池モジュール３１のクラスタ３５が配列される方向（図９中において横方法）の幅寸法、すなわち各クラスタ３５の短辺の幅寸法ＣＬ×クラスタ数に略等しい長さに設定されるとともに、その矩形形状の縦方向の長さＬ２が、遮光板２０による遮光操作によって、各クラスタ３５に設けられたバイパスダイオード３４を含む経路へ発電電流を迂回させることが可能な遮光面積とする長さに設定されている。すなわち、遮光板２０は、１つの太陽電池モジュール３１の表面全体を覆う大きさないし形状ではなく、太陽電池モジュール３１の劣化診断やバイパスダイオード３４のオープン故障の検出に必要な最小限の面積を有する矩形形状に形成されている。
【００４４】
このように、本実施の形態の遮光装置１では、遮光板２０を、太陽電池モジュール３１の劣化診断やバイパスダイオード３４のオープン故障の発見ないし検出に必要な最小限の面積の矩形形状のものとしたので、遮光装置１を小型・軽量化することができる。これにより、遮光装置１の操作を容易に行い得るようにして、太陽電池セル３２を破損させることなく太陽電池モジュール３１上に容易に遮光板２０を位置決めすることができる。
【００４５】
特に、太陽電池ストリング３０を縦方向に複数段設けた太陽光発電システム４０においては、操作棒１０を長くして作業者から離れた太陽電池ストリング３０の太陽電池モジュール３１上に遮光板２０を配置する必要があるが、このような場合においても、小型・軽量化された遮光装置１により、当該太陽電池モジュール３１上に容易に遮光板２０を位置決めすることができる。
【００４６】
また、本実施の形態の遮光装置１では、遮光板２０を発泡ポリエチレン製とし、補強板２１及び被連結部２３を木製とするとともに、連結部１１を薄い板材で形成された一対の爪部１１ａを板材１１ｂとＵ字形金具１１ｃとにより操作棒１０に固定した簡素な構成としたので、この遮光装置１を所定の剛性を保ちつつさらに小型・軽量化することができる。これにより、遮光装置１の操作をさらに容易に行い得るようにして、太陽電池セル３２を破損させることなく太陽電池モジュール３１上にさらに容易に遮光板２０を位置決めすることができる。
【００４７】
さらに、上記の通り、本実施の形態の遮光装置１では、遮光板２０を発泡ポリエチレン製とし、補強板２１及び被連結部２３を木製とするとともに、連結部１１を薄い板材で形成された一対の爪部１１ａを板材１１ｂとＵ字形金具１１ｃとにより操作棒１０に固定した簡素な構成としたので、遮光装置１の材料費を低減するとともに、その製造過程における各部材の加工を容易に行い得るようにして、この遮光装置１の製造コストを低減することができる。
【００４８】
さらに、本実施の形態の遮光装置１では、遮光板２０に設けられる被連結部２３を、遮光板２０から突出する支柱２３ａと支柱２３ａの上端に固定された係止板２３ｂとを備えた構成とし、操作棒１０に設けられる連結部１１を、支柱２３ａを跨いで遮光板２０と係止板２３ｂとの間に差し込まれて係止板２３ｂを下方側から支持可能な一対の爪部１１ａを有する構成としたので、遮光板２０に対する操作棒１０の着脱を容易に行うことができる。これにより、太陽電池モジュール３１上に遮光板２０を配置した後、操作棒１０が他の太陽電池モジュール３１に影を生じさせないように遮光板２０から取り外す作業、及び、遮光板２０を次の太陽電池モジュール３１上に移動させる際に操作棒１０を再度遮光板２０に連結させる作業を容易にして、この遮光装置１を用いた太陽電池モジュール３１の遮光作業をより容易に行い得るようにすることができる。
【００４９】
また、被連結部２３の支柱２３ａの横断面形状を、一辺の長さが一対の爪部１１ａの間隔Ａよりも短く、対角線の長さが一対の爪部１１ａの間隔Ａよりも長い正方形としたので、操作棒１０に設けられた連結部１１を、遮光板２０の被連結部２３に、当該遮光板２０の縦方向及び横方向の何れの方向からも連結させることができる。したがって、例えば図１０に示すように、クラスタ３５の配列方向が作業者に対して奥行方向となるように配置された太陽電池モジュール３１に遮光板２０を配置する場合においては、操作棒１０を横方向から遮光板２０に連結することで遮光板２０を操作棒１０に縦向きに連結して、当該太陽電池モジュール３１の全てのクラスタ３５の一部を遮光するように遮光板２０を容易に配置することができる。
【００５０】
このように、本実施の形態の遮光装置１では、作業者の立ち位置に対して太陽電池モジュール３１を構成するクラスタ３５の長辺が横方向／奥行方向のいずれであっても、遮光板２０を、その配向を変えて容易に操作棒１０に連結することができるようにして、種々の太陽電池モジュール３１に対して、この遮光装置１を用いた遮光作業をより容易に行い得るようにすることができる。
【００５１】
このとき、支柱２３ａの対角線の長さは一対の爪部１１ａの間隔Ａよりも長くされているので、支柱２３ａは一対の爪部１１ａの間で当該爪部１１ａによって回転が規制された状態となる。したがって、操作棒１０の連結部１１を中心として遮光板２０が回転することを防止して、遮光装置１を用いた太陽電池モジュール３１の遮光作業をより容易に行い得るようにすることができる。
【００５２】
本考案は前記実施の形態に限定されるものではなく、その要旨を逸脱しない範囲で種々変更可能であることはいうまでもない。
【００５３】
例えば、前記実施の形態では、操作棒１０を遮光板２０に着脱自在に連結する構成として、連結部１１を一対の爪部１１ａを備えた構成とし、被連結部２３を支柱２３ａと係止板２３ｂとを備えた構成とした場合を示したが、操作棒１０を遮光板２０に着脱自在に連結することができる構成であれば、他の構成を採用することもできる。
【００５４】
また、前記実施の形態では、遮光板２０を発泡ポリエチレン製のマットを所定の大きさに切断したものとしたが、これに限らず、例えば黒色に着色された合成樹脂板など、太陽光を透過させない不透明なものであれば、その材質等は種々変更可能である。
【００５５】
さらに、前記実施の形態では、本実施の形態の遮光装置１が用いられる太陽電池ストリング３０を、横方向に並べて配置された８つの太陽電池モジュール３１を備えた構成のものとし、当該太陽電池ストリング３０を構成するそれぞれの太陽電池モジュール３１を、それぞれ１０個の太陽電池セル３２を備えた３つのクラスタ３５を有する構成のものとした場合を示しているが、これに限らず、本実施の形態の遮光装置１は、太陽電池モジュール３１の数や、太陽電池モジュール３１を構成するクラスタ３５及び太陽電池セル３２の数が相違する種々の太陽電池ストリング３０に対して用いることも可能である。
【００５６】
さらに、前記実施の形態では、被連結部２３を構成する支柱２３ａと係止板２３ｂとを木製としたが、これに限らず、例えば金属製や合成樹脂材製のものとしてもよい。
【符号の説明】
【００５７】
１    太陽電池モジュール検査用遮光装置
１０    操作棒
１０ａ  内側棒材
１０ｂ  外側棒材
１０ｃ  固定部材
１１    連結部
１１ａ  爪部
１１ｂ  板材
１１ｃ  Ｕ字形金具
１２    ボルト
１３    ナット
２０    遮光板
２１    補強板
２２    両面テープ
２３    被連結部
２３ａ  支柱
２３ｂ  係止板
２４    固定金具
２４ａ  フランジ部分
２４ｂ  木ネジ部
３０    太陽電池ストリング
３１    太陽電池モジュール
３２    太陽電池セル
３３    セルストリング
３４    バイパスダイオード
３５    クラスタ
４０    太陽光発電システム
４１    接続箱
４１ａ  断続器
４１ｂ  逆流防止用ダイオード
４２    パワーコンディショナ
Ｌ１    遮光板の横方向の長さ
Ｌ２    遮光板の縦方向の長さ
ａ    支柱の両辺の長さ
ｂ    係止板の両辺の長さ
Ａ    一対の爪部の間隔
Ｂ    一対の爪部の長さ
ＣＬ    クラスタの短辺の幅寸法
【図１】
0003216295.tif 000003
【図２】
0003216295.tif 000004
【図３】
0003216295.tif 000005
【図４】
0003216295.tif 000006
【図５】
0003216295.tif 000007
【図６】
0003216295.tif 000008
【図７】
0003216295.tif 000009
【図８】
0003216295.tif 000010
【図９】
0003216295.tif 000011
【図１０】
0003216295.tif 000012